(57)【要約】【課題】画像形成装置の設定画面に関してユーザの操作性を向上させることが可能な技術を提供する。【解決手段】設定画面の表示モードを第１の表示モードと第２の表示モードとの間で切り換える切換操作ボタンＢＷ１，ＢＷ２が設けられる。第１の表示モードの第１の表示画面ＧＡは、アイコン表示領域ＲＣと第１の機能ボタン表示領域ＲＢ１とを有する。アイコン表示領域ＲＣには、複数のアイコンが所定方向に配列して表示される。第１の機能ボタン表示領域ＲＢ１には、複数のアイコンのうち範囲指定枠ＦＲにより指定された一部のアイコンに対応する一部の機能ボタンが表示される。また、第２の表示モードの第２の表示画面は、グループ表示指示領域と第２の機能ボタン表示領域とを有する。第２の表示画面においては、グループ表示指示領域内の各グループ指定ボタンの押下に応じて、特定のグループに属する機能ボタンが第２の機能ボタン表示領域に表示される。【選択図】図２
2014058113.tif 000002
【特許請求の範囲】
【請求項１】
画像形成装置であって、
設定画面を表示部に表示する表示制御手段と、
前記設定画面の表示モードを第１の表示モードと第２の表示モードとの間で切り換える切換操作手段と、
を備え、
前記第１の表示モードで表示される第１の表示画面は、各機能を設定するための複数の機能ボタンに対応する複数のアイコンを所定方向に配列して表示するアイコン表示領域と、前記複数の機能ボタンのうちの一部の機能ボタンであって前記複数のアイコンのうち範囲指定手段により指定された一部のアイコンに対応する一部の機能ボタンを表示する第１の機能ボタン表示領域とを有し、
前記複数の機能ボタンは、機能属性に応じて複数のグループに分類され、
前記第２の表示モードで表示される第２の表示画面は、前記複数のグループのうちの特定のグループに属する機能ボタンを表示すべき旨のグループ表示指示入力をそれぞれ受け付ける複数のグループ指定ボタンが設けられたグループ表示指示領域と、前記複数の機能ボタンのうち前記特定のグループに属する機能ボタンを表示する第２の機能ボタン表示領域とを有することを特徴とする画像形成装置。
【請求項２】
請求項１に記載の画像形成装置において、
前記第２の表示画面における前記複数のグループ指定ボタンも、前記所定の方向に配列されて設けられ、
前記表示制御手段は、前記第１の機能ボタン表示領域と前記第２の機能ボタン表示領域とのいずれにおいても、表示対象の機能ボタンを前記所定の方向に配列して表示することを特徴とする画像形成装置。
【請求項３】
請求項２に記載の画像形成装置において、
前記第１の表示画面の前記第１の機能ボタン表示領域においては、前記一部の機能ボタンがグループごとに分類されて表示され、
前記第２の表示画面の前記第２の機能ボタン表示領域においては、前記特定のグループに属する機能ボタンが表示されることを特徴とする画像形成装置。
【請求項４】
請求項３に記載の画像形成装置において、
前記複数のアイコンは、前記第１の表示画面の前記アイコン表示領域において、グループごとに分類されて表示され、
前記複数のグループ指定ボタンは、前記第２の表示画面の前記グループ表示指示領域において、各グループを指定するためのボタンとして表示されることを特徴とする画像形成装置。
【請求項５】
請求項４に記載の画像形成装置において、
前記複数のグループに分類された前記複数のアイコンは、前記第１の表示画面の前記アイコン表示領域において、前記所定の方向において所定のグループ順序で表示され、
前記第２の表示画面の複数のグループ指示ボタンも、前記所定の方向において前記所定のグループ順序で表示されることを特徴とする画像形成装置。
【請求項６】
請求項１ないし請求項５のいずれかに記載の画像形成装置において、
前記表示制御手段は、前記切換操作手段による前記第１の表示モードから前記第２の表示モードへの切換操作に応答して、前記第１の機能ボタン表示領域の先頭に表示されていた機能ボタンが所属する一のグループを特定するとともに、特定された当該一のグループに所属する機能ボタンを前記第２の機能ボタン表示領域に表示することを特徴とする画像形成装置。
【請求項７】
請求項１ないし請求項５のいずれかに記載の画像形成装置において、
前記表示制御手段は、前記切換操作手段による前記第１の表示モードから前記第２の表示モードへの切換操作に応答して、前記第１の機能ボタン表示領域に表示されていた前記一部の機能ボタンのうち最も多数の機能ボタンが所属する一のグループを特定するとともに、特定された当該一のグループに所属する機能ボタンを前記第２の機能ボタン表示領域に表示することを特徴とする画像形成装置。
【請求項８】
請求項１ないし請求項５のいずれかに記載の画像形成装置において、
前記表示制御手段は、前記切換操作手段による前記第１の表示モードから前記第２の表示モードへの切換操作に応答して、前記複数のアイコンのうちの先頭のアイコンの所属グループと同一のグループに所属する機能ボタンを前記第２の機能ボタン表示領域に表示することを特徴とする画像形成装置。
【請求項９】
請求項１ないし請求項８のいずれかに記載の画像形成装置において、
前記表示制御手段は、前記切換操作手段による前記第２の表示モードから前記第１の表示モードへの切換操作に応答して、前記第２の機能ボタン表示領域に表示されていた機能ボタンを含む機能ボタンを前記第１の機能ボタン表示領域に表示することを特徴とする画像形成装置。
【請求項１０】
請求項１ないし請求項８のいずれかに記載の画像形成装置において、
前記表示制御手段は、前記切換操作手段による前記第２の表示モードから前記第１の表示モードへの切換操作に応答して、前記第２の機能ボタン表示領域に表示されていた機能ボタンを前記第１の機能ボタン表示領域内の前記所定方向における中央部分に表示することを特徴とする画像形成装置。
【請求項１１】
請求項１ないし請求項８のいずれかに記載の画像形成装置において、
前記表示制御手段は、前記切換操作手段による前記第２の表示モードから前記第１の表示モードへの切換操作に応答して、前記第２の機能ボタン表示領域に表示されていた機能ボタンを前記第１の機能ボタン表示領域内の前記所定方向における先頭部分に表示することを特徴とする画像形成装置。
【請求項１２】
請求項１ないし請求項１１のいずれかに記載の画像形成装置において、
前記第１の表示画面と前記第２の表示画面とのいずれを前記設定画面の初期状態において前記表示部に表示させるかを指定する指定手段、
をさらに備え、
前記表示制御手段は、前記指定手段によって指定された表示画面を前記初期状態にて前記表示部に表示することを特徴とする画像形成装置。
【請求項１３】
請求項１２に記載の画像形成装置において、
前記指定手段は、前記第１の表示画面と前記第２の表示画面とのいずれを前記表示部に表示させるかに関する特定のユーザによる指定を受け付け、
前記表示制御手段は、前記特定のユーザの使用時において、前記特定のユーザによって指定された表示画面を前記初期状態にて前記表示部に表示することを特徴とする画像形成装置。
【請求項１４】
請求項１２に記載の画像形成装置において、
前記指定手段は、前記第１の表示画面と前記第２の表示画面とのいずれを前記表示部に表示させるかに関する各ユーザ向けの指定を管理者から受け付け、
前記表示制御手段は、前記各ユーザの使用時において、前記第１の表示画面と前記第２の表示画面とのうち前記各ユーザ向けに指定された表示画面を前記初期状態にて前記表示部に表示することを特徴とする画像形成装置。
【請求項１５】
請求項１ないし請求項１１のいずれかに記載の画像形成装置において、
前記第２の表示モードから前記第１の表示モードへの第１の切換操作回数と前記第１の表示モードから前記第２の表示モードへの第２の切換操作回数とをそれぞれカウントするカウント手段、
をさらに備え、
前記表示制御手段は、
前記第１の切換操作回数が前記第２の切換操作回数よりも大きいときには、前記第１の表示画面を前記初期状態にて前記表示部に表示し、
前記第２の切換操作回数が前記第１の切換操作回数よりも大きいときには、前記第２の表示画面を前記初期状態にて前記表示部に表示することを特徴とする画像形成装置。
【請求項１６】
コンピュータに、
ａ）各機能を設定するための複数の機能ボタンに対応する複数のアイコンを所定方向に配列して表示するアイコン表示領域と、前記複数の機能ボタンのうちの一部の機能ボタンであって前記複数のアイコンのうち範囲指定手段により指定された一部のアイコンに対応する一部の機能ボタンを表示する第１の機能ボタン表示領域とを有する第１の表示画面を表示部に表示するステップと、
ｂ）前記複数の機能ボタンの分類用の複数のグループのうちの特定のグループに属する機能ボタンを表示すべき旨のグループ表示指示入力をそれぞれ受け付ける複数のグループ指定ボタンが設けられるグループ表示指示領域と、前記複数の機能ボタンのうち前記特定のグループに属する機能ボタンを表示する第２の機能ボタン表示領域とを有する第２の表示画面を前記表示部に表示するステップと、
ｃ）切換操作手段により前記第１の表示画面と前記第２の表示画面との間における切換指示を受け付けるステップと、
ｄ）前記切換指示に基づいて、前記第１の表示画面への切換動作あるいは前記第２の表示画面への切換動作を行うステップと、
をコンピュータに実行させるためのプログラム。
【発明の詳細な説明】
【技術分野】
【０００１】
本発明は、画像形成装置およびそれに関連する技術に関する。
【背景技術】
【０００２】
画像形成装置においては、搭載機能が年々増加しており、各搭載機能を設定するためのボタン（機能ボタン）の数も増加している。そのため、全機能に対応する全ての機能ボタンを画像形成装置の操作パネル部（表示部）に表示することは困難である。
【０００３】
これに対して、多数の機能ボタンを複数の機能グループに分類し、各機能グループに所属する機能ボタンをそれぞれ有する複数のタブ画面（機能グループごとのタブ画面）を切り換えて表示する技術が存在する（特許文献１等参照）。しかしながら、このようなタブ画面の切換技術では、異なる機能グループに跨る複数の機能ボタンは異なるタブ画面に配置されているため、多数の機能ボタンを全体的に俯瞰することは困難である。
【０００４】
このような問題に対処する技術として、例えば特許文献２には、所定方向に配列された複数の機能ボタンのうちユーザによって指定された一部の機能ボタンを表示部の機能ボタン表示領域に表示する技術が記載されている。機能ボタン表示領域に表示される一部の機能ボタンは、ユーザによるスクロール操作に応じて変更される。
【０００５】
より詳細には、特許文献２の技術では、画像形成装置の表示部には、アイコン表示領域と機能ボタン表示領域とを有する設定画面が表示される。
【０００６】
アイコン表示領域には、各機能を設定するための複数の機能ボタンに対応する複数のアイコンが水平方向に配列された状態で表示される。なお、当該複数のアイコンは、複数の機能グループに分類された状態（詳細には、機能グループごとに纏められた状態）で表示される。また、アイコン表示領域には、当該アイコン表示領域内の複数のアイコンの中から一部のアイコンを選択するためのスライダが設けられている。このスライダを用いたユーザ操作により、アイコン表示領域に表示された複数のアイコンの中から一部のアイコンが指定される。詳細には、当該スライダは、当該スライダの移動に付随して移動する所定幅の枠体（範囲指定枠）を有しており、スライダ移動後の当該範囲指定枠内に存在するアイコンが、当該一部のアイコンとして指定される。
【０００７】
そして、他方の機能ボタン表示領域には、複数の機能ボタンのうち、ユーザ操作で指定された一部のアイコンに対応する一部の機能ボタンが表示される。
【先行技術文献】
【特許文献】
【０００８】
【特許文献１】特開２００２−２９０６６０号公報
【特許文献２】特開２０１１−１９３４０５号公報
【発明の概要】
【発明が解決しようとする課題】
【０００９】
上記特許文献２の技術によれば、ユーザは、多数の機能ボタンを全体的に俯瞰しつつ所望の機能ボタンを探すことが容易である。
【００１０】
しかしながら、その一方で、ユーザが設定したい機能（あるいは機能グループ）を既に決めている際においても、ユーザは、所望の機能（あるいは所望の機能グループ）の近くにスライダを一旦移動させる操作を求められる。設定対象機能を予め決定しているユーザには、スライダの移動を伴う表示対象範囲指定操作は煩わしく感じられることがある。そのため、さらに簡易な操作で機能に関する設定を行えることが好ましい。
【００１１】
そこで、この発明は、画像形成装置の設定画面に関してユーザの操作性を向上させることが可能な技術を提供することを課題とする。
【課題を解決するための手段】
【００１２】
上記課題を解決すべく、請求項１の発明は、画像形成装置であって、設定画面を表示部に表示する表示制御手段と、前記設定画面の表示モードを第１の表示モードと第２の表示モードとの間で切り換える切換操作手段と、を備え、前記第１の表示モードで表示される第１の表示画面は、各機能を設定するための複数の機能ボタンに対応する複数のアイコンを所定方向に配列して表示するアイコン表示領域と、前記複数の機能ボタンのうちの一部の機能ボタンであって前記複数のアイコンのうち範囲指定手段により指定された一部のアイコンに対応する一部の機能ボタンを表示する第１の機能ボタン表示領域とを有し、前記複数の機能ボタンは、機能属性に応じて複数のグループに分類され、前記第２の表示モードで表示される第２の表示画面は、前記複数のグループのうちの特定のグループに属する機能ボタンを表示すべき旨のグループ表示指示入力をそれぞれ受け付ける複数のグループ指定ボタンが設けられたグループ表示指示領域と、前記複数の機能ボタンのうち前記特定のグループに属する機能ボタンを表示する第２の機能ボタン表示領域とを有することを特徴とする。
【００１３】
請求項２の発明は、請求項１の発明に係る画像形成装置において、前記第２の表示画面における前記複数のグループ指定ボタンも、前記所定の方向に配列されて設けられ、前記表示制御手段は、前記第１の機能ボタン表示領域と前記第２の機能ボタン表示領域とのいずれにおいても、表示対象の機能ボタンを前記所定の方向に配列して表示することを特徴とする。
【００１４】
請求項３の発明は、請求項２の発明に係る画像形成装置において、前記第１の表示画面の前記第１の機能ボタン表示領域においては、前記一部の機能ボタンがグループごとに分類されて表示され、前記第２の表示画面の前記第２の機能ボタン表示領域においては、前記特定のグループに属する機能ボタンが表示されることを特徴とする。
【００１５】
請求項４の発明は、請求項３の発明に係る画像形成装置において、前記複数のアイコンは、前記第１の表示画面の前記アイコン表示領域において、グループごとに分類されて表示され、前記複数のグループ指定ボタンは、前記第２の表示画面の前記グループ表示指示領域において、各グループを指定するためのボタンとして表示されることを特徴とする。
【００１６】
請求項５の発明は、請求項４の発明に係る画像形成装置において、前記複数のグループに分類された前記複数のアイコンは、前記第１の表示画面の前記アイコン表示領域において、前記所定の方向において所定のグループ順序で表示され、前記第２の表示画面の複数のグループ指示ボタンも、前記所定の方向において前記所定のグループ順序で表示されることを特徴とする。
【００１７】
請求項６の発明は、請求項１ないし請求項５のいずれかの発明に係る画像形成装置において、前記表示制御手段は、前記切換操作手段による前記第１の表示モードから前記第２の表示モードへの切換操作に応答して、前記第１の機能ボタン表示領域の先頭に表示されていた機能ボタンが所属する一のグループを特定するとともに、特定された当該一のグループに所属する機能ボタンを前記第２の機能ボタン表示領域に表示することを特徴とする。
【００１８】
請求項７の発明は、請求項１ないし請求項５のいずれかの発明に係る画像形成装置において、前記表示制御手段は、前記切換操作手段による前記第１の表示モードから前記第２の表示モードへの切換操作に応答して、前記第１の機能ボタン表示領域に表示されていた前記一部の機能ボタンのうち最も多数の機能ボタンが所属する一のグループを特定するとともに、特定された当該一のグループに所属する機能ボタンを前記第２の機能ボタン表示領域に表示することを特徴とする。
【００１９】
請求項８の発明は、請求項１ないし請求項５のいずれかの発明に係る画像形成装置において、前記表示制御手段は、前記切換操作手段による前記第１の表示モードから前記第２の表示モードへの切換操作に応答して、前記複数のアイコンのうちの先頭のアイコンの所属グループと同一のグループに所属する機能ボタンを前記第２の機能ボタン表示領域に表示することを特徴とする。
【００２０】
請求項９の発明は、請求項１ないし請求項８のいずれかの発明に係る画像形成装置において、前記表示制御手段は、前記切換操作手段による前記第２の表示モードから前記第１の表示モードへの切換操作に応答して、前記第２の機能ボタン表示領域に表示されていた機能ボタンを含む機能ボタンを前記第１の機能ボタン表示領域に表示することを特徴とする。
【００２１】
請求項１０の発明は、請求項１ないし請求項８のいずれかの発明に係る画像形成装置において、前記表示制御手段は、前記切換操作手段による前記第２の表示モードから前記第１の表示モードへの切換操作に応答して、前記第２の機能ボタン表示領域に表示されていた機能ボタンを前記第１の機能ボタン表示領域内の前記所定方向における中央部分に表示することを特徴とする。
【００２２】
請求項１１の発明は、請求項１ないし請求項８のいずれかの発明に係る画像形成装置において、前記表示制御手段は、前記切換操作手段による前記第２の表示モードから前記第１の表示モードへの切換操作に応答して、前記第２の機能ボタン表示領域に表示されていた機能ボタンを前記第１の機能ボタン表示領域内の前記所定方向における先頭部分に表示することを特徴とする。
【００２３】
請求項１２の発明は、請求項１ないし請求項１１のいずれかの発明に係る画像形成装置において、前記第１の表示画面と前記第２の表示画面とのいずれを前記設定画面の初期状態において前記表示部に表示させるかを指定する指定手段、をさらに備え、前記表示制御手段は、前記指定手段によって指定された表示画面を前記初期状態にて前記表示部に表示することを特徴とする。
【００２４】
請求項１３の発明は、請求項１２の発明に係る画像形成装置において、前記指定手段は、前記第１の表示画面と前記第２の表示画面とのいずれを前記表示部に表示させるかに関する特定のユーザによる指定を受け付け、前記表示制御手段は、前記特定のユーザの使用時において、前記特定のユーザによって指定された表示画面を前記初期状態にて前記表示部に表示することを特徴とする。
【００２５】
請求項１４の発明は、請求項１２の発明に係る画像形成装置において、前記指定手段は、前記第１の表示画面と前記第２の表示画面とのいずれを前記表示部に表示させるかに関する各ユーザ向けの指定を管理者から受け付け、前記表示制御手段は、前記各ユーザの使用時において、前記第１の表示画面と前記第２の表示画面とのうち前記各ユーザ向けに指定された表示画面を前記初期状態にて前記表示部に表示することを特徴とする。
【００２６】
請求項１５の発明は、請求項１ないし請求項１１のいずれかの発明に係る画像形成装置において、前記第２の表示モードから前記第１の表示モードへの第１の切換操作回数と前記第１の表示モードから前記第２の表示モードへの第２の切換操作回数とをそれぞれカウントするカウント手段、をさらに備え、前記表示制御手段は、前記第１の切換操作回数が前記第２の切換操作回数よりも大きいときには、前記第１の表示画面を前記初期状態にて前記表示部に表示し、前記第２の切換操作回数が前記第１の切換操作回数よりも大きいときには、前記第２の表示画面を前記初期状態にて前記表示部に表示することを特徴とする。
【００２７】
請求項１６の発明は、コンピュータに、ａ）各機能を設定するための複数の機能ボタンに対応する複数のアイコンを所定方向に配列して表示するアイコン表示領域と、前記複数の機能ボタンのうちの一部の機能ボタンであって前記複数のアイコンのうち範囲指定手段により指定された一部のアイコンに対応する一部の機能ボタンを表示する第１の機能ボタン表示領域とを有する第１の表示画面を表示部に表示するステップと、ｂ）前記複数の機能ボタンの分類用の複数のグループのうちの特定のグループに属する機能ボタンを表示すべき旨のグループ表示指示入力をそれぞれ受け付ける複数のグループ指定ボタンが設けられるグループ表示指示領域と、前記複数の機能ボタンのうち前記特定のグループに属する機能ボタンを表示する第２の機能ボタン表示領域とを有する第２の表示画面を前記表示部に表示するステップと、ｃ）切換操作手段により前記第１の表示画面と前記第２の表示画面との間における切換指示を受け付けるステップと、ｄ）前記切換指示に基づいて、前記第１の表示画面への切換動作あるいは前記第２の表示画面への切換動作を行うステップと、をコンピュータに実行させるためのプログラムであることを特徴とする。
【発明の効果】
【００２８】
請求項１ないし請求項１６に記載の発明によれば、画像形成装置の設定画面に関してユーザの操作性を向上させることが可能である。
【図面の簡単な説明】
【００２９】
【図１】画像形成装置の構成を示す機能ブロック図である。
【図２】マップ表示モードの表示画面を示す図である。
【図３】複数の機能に関する分類を示す図である。
【図４】グループ表示モードの表示画面を示す図である。
【図５】表示画面に重畳表示されるダイアログ画面を示す図である。
【図６】グループ表示モード指定ボタン押下時の画像形成装置の動作を示すフローチャートである。
【図７】グループ表示モード指定ボタン押下時の画像形成装置の動作を示すフローチャートである。
【図８】グループ表示モードの表示画面を示す図である。
【図９】グループ表示モードの表示画面を示す図である。
【図１０】グループ表示モードの表示画面を示す図である。
【図１１】マップ表示モードの表示画面を示す図である。
【図１２】初期状態での表示モードを設定する詳細設定画面を示す図である。
【図１３】初期状態での表示モードを設定する詳細設定画面（管理者用）を示す図である。
【図１４】切換操作回数を記憶したデータテーブルを示す図である。
【発明を実施するための形態】
【００３０】
以下、本発明の実施形態を図面に基づいて説明する。
【００３１】
＜１．構成＞
図１は、画像形成装置１の構成を示す機能ブロック図である。ここでは、画像形成装置１は、マルチ・ファンクション・ペリフェラル（Multi Function Peripheral）（ＭＦＰとも略称する）として構成されているものとする。当該ＭＦＰは、スキャナ機能、プリンタ機能、コピー機能およびファクシミリ通信機能などを備える装置（複合機とも称する）である。
【００３２】
図１に示すように、画像形成装置１は、画像読取部２、印刷出力部３、通信部４、格納部５、入出力部６およびコントローラ９等を備えており、これらの各部を複合的に動作させることによって、各種の機能を実現する。
【００３３】
画像読取部２は、画像形成装置１の所定の位置に載置された原稿を光学的に読み取って、当該原稿の画像データ（原稿画像とも称する）を生成する処理部である。
【００３４】
印刷出力部３は、対象画像に関する画像データに基づいて紙などの各種の媒体に画像を印刷出力する出力部である。
【００３５】
通信部４は、公衆回線等を介したファクシミリ通信を行うことが可能な処理部である。さらに、通信部４は、ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、画像形成装置１は、所望の相手先との間で各種のデータを授受することが可能である。
【００３６】
格納部５は、ハードディスクドライブ（ＨＤＤ）および不揮発性メモリ等の格納装置で構成される。
【００３７】
入出力部６は、画像形成装置１に対する入力を受け付ける操作入力部６ａと、各種情報の表示出力を行う表示部６ｂとを備えている。具体的には、画像形成装置１には、入出力部６として機能する操作パネル部６ｐ（不図示）が設けられている。この操作パネル部６ｐは、各種ハードキーとタッチスクリーン６ｃ（図２参照）とを有している。
【００３８】
タッチスクリーン６ｃは、液晶表示パネルに圧電センサ等が埋め込まれて構成されており、表示部６ｂの一部として機能するとともに、操作入力部６ａの一部としても機能する。詳細には、タッチスクリーン６ｃは、液晶表示パネルに各種の情報を表示することが可能であるとともに、液晶表示パネルに対する操作者の手指の操作位置を検知して、各種の入力を受け付けることも可能である。たとえば、タッチスクリーン６ｃに表示された（仮想的な）ボタンが操作者の手指によって触れられると、このような操作は当該ボタンに対する押下操作であるとみなされる。
【００３９】
このように、入出力部６は、操作者による入力操作を受け付けることが可能である。
【００４０】
コントローラ９は、画像形成装置１を統括的に制御する制御部であり、ＣＰＵと、各種の半導体メモリ（ＲＡＭおよびＲＯＭ等）とを備えて構成される。コントローラ９の制御下において各種の処理部が動作することによって、画像形成装置１の各種の機能が実現される。コントローラ９は、ＣＰＵにおいて、ＲＯＭ（例えば、ＥＥＰＲＯＭ等）内に格納されている所定のソフトウエアプログラム（以下、単にプログラムとも称する）ＰＧを実行することによって、各種の処理部を実現する。なお、当該プログラムＰＧ等は、ネットワークを経由してダウンロードされて取得されるようにしてもよく、あるいは、各種の可搬性記録媒体（ＵＳＢメモリ等）を介して取得されるようにしてもよい。
【００４１】
具体的には、コントローラ９は、設定処理部１１、表示制御部１２および入力制御部１４を含む各種の処理部を実現する。
【００４２】
設定処理部１１は、タッチスクリーン６ｃに表示された設定画面等を用いて、画像形成装置１における各種の機能を設定する処理部である。
【００４３】
表示制御部１２は、各種画面をタッチスクリーン６ｃに表示する表示動作を制御する処理部である。
【００４４】
入力制御部１４は、ユーザからの指示入力を受け付ける処理部である。具体的には、入力制御部１４は、タッチスクリーン６ｃ等に表示された各種の操作要素（スライダＳＬ、グループ指定ボタンＧＴ、機能ボタンＢＴ等）を介して、ユーザからの指示入力を受け付ける。
【００４５】
＜２．表示画面ＧＡ＞
図２は、タッチスクリーン６ｃに表示される設定画面（詳細には、設定に関するメニュー画面）を示す図である。後述するように、この実施形態においては、設定画面（メニュー画面）に関する２つの表示モードＭＤ１，ＭＤ２が設けられている。図２では、一方の表示モード、具体的にはマップ表示モードＭＤ１における表示画面ＧＡが示されている。なお、図４には、他方の表示モード、具体的にはグループ表示モードＭＤ２における表示画面ＧＢが示されている。後述するように、これらの２つの表示画面ＧＡ，ＧＢは、切換ボタンＢＷ１，ＢＷ２を用いて互いに切り換えて表示される。
【００４６】
画像形成装置１の表示部６ｂ（タッチスクリーン６ｃ）に関する初期状態（設定画面に関する初期状態とも称する）においては、図２に示すような表示画面ＧＡが画像形成装置１のタッチスクリーン６ｃに表示される。なお、画像形成装置１の表示部６ｂの初期状態としては、電源オン直後の初期状態、リセットキー押下直後（リセット直後）の初期状態、およびスリープからの復帰直後の初期状態等が例示される。
【００４７】
表示画面ＧＡは、アイコン表示領域ＲＣと機能ボタン表示領域ＲＢ（詳細にはＲＢ１）とを有する。アイコン表示領域ＲＣおよび機能ボタン表示領域ＲＢ１は、それぞれ、水平方向に伸びる細長い領域（帯状領域）である。アイコン表示領域ＲＣは、タッチスクリーン６ｃ内において、機能ボタン表示領域ＲＢの下側に設けられる。また、機能ボタン表示領域ＲＢ１は、タッチスクリーン６ｃ内において、アイコン表示領域ＲＣの上側に設けられる。後述するように、機能ボタン表示領域ＲＢにおける表示内容は、アイコン表示領域ＲＣに対する操作等に応じて変更される。
【００４８】
アイコン表示領域ＲＣには、各機能を設定するための複数の機能ボタンＢＴに対応する複数のアイコンＣＮが、水平方向に配列された状態で表示される。このアイコン表示領域ＲＣにおいては、複数のアイコンＣＮは、それぞれの機能に応じて複数の機能グループ（単にグループとも表現する）に分類された状態（詳細には、機能グループごとに纏められた状態）で表示される。
【００４９】
この実施形態においては、複数（ここでは合計２２個）の機能が、その属性に応じて、複数（ここでは５個）のグループＧＰ１〜ＧＰ５（「基本設定」グループ、「原稿」グループ、「レイアウト」グループ、「仕立て」グループおよび「画質／濃度」グループ）に分類される態様を例示する。具体的には、図３にも示すように、「基本設定」グループＧＰ１には、５つの機能（「カラー」、「濃度」、「原稿画質」、「用紙」および「倍率」）が所属し、「原稿」グループＧＰ２には、４つの機能（「原稿設定」、「ブック原稿」、「連続読込」および「自動画像回転」）が所属する。また、「レイアウト」グループＧＰ３には、６つの機能（「小冊子」、「綴じ代（とじしろ）」、「画像シフト」、「鏡像」、「リピート」および「拡大連写」）が所属する。さらに、「仕立て」グループＧＰ４には、４つの機能（「ＯＨＰ合紙」、「カバーシート」、「インターシート」および「章分け」）が所属し、「画質／濃度」グループＧＰ５には、３つの機能（「下地調整」、「文字再現」および「光沢コピー」）が所属する。
【００５０】
このような分類の結果、全２２個の機能に対応する合計２２個のアイコンＣＮが、対応する機能の属性に応じて複数のグループＧＰ１〜ＧＰ５に分類（カテゴライズ）される。同様に、全２２個の機能ボタンＢＴも、対応する機能の属性に応じて複数のグループＧＰ１〜ＧＰ５に分類（カテゴライズ）される。なお、これらの複数のグループＧＰ１〜ＧＰ５は、機能ボタン（およびアイコン）の分類用のグループあるいは分類先のグループなどとも表現される。
【００５１】
そして、上記のアイコン表示領域ＲＣにおいては、上述の「２２」個の機能に対応する合計２２個のアイコンＣＮが、水平方向において略直線状に配列された状態且つ機能グループごとに纏めて配置された状態で表示される。たとえば、アイコン表示領域ＲＣの左端側の５つのアイコンＣＮ１１〜ＣＮ１５は、基本設定グループＧＰ１の５つの機能（「カラー」、「濃度」、「原稿画質」、「用紙」および「倍率」）にそれぞれ対応するアイコンである。その右側には、原稿グループＧＰ２の４つの機能にそれぞれ対応する４つのアイコンＣＮ２１〜ＣＮ２４が配列されている。同様にさらにその右側には、レイアウトグループＧＰ３の６つの機能にそれぞれ対応する６つのアイコンＣＮ３１〜ＣＮ３６が配列されている。さらにその右側には、仕立てグループＧＰ４の４つの機能にそれぞれ対応する４つのアイコンＣＮ４１〜ＣＮ４４、および画質／濃度グループＧＰ５の３つの機能にそれぞれ対応する３つのアイコンＣＮ５１〜ＣＮ５３が水平方向に順次配列されている。このように、全２２個のアイコンＣＮは、対応する機能ボタンＢＴの機能の属性に応じて複数のグループに分類（カテゴライズ）された状態でアイコン表示領域ＲＣに表示される。
【００５２】
また、アイコン表示領域ＲＣにおいては、複数の機能名称表示領域ＧＬ１〜ＧＬ５が設けられている。各機能名称表示領域ＧＬｉは、それぞれ、アイコン表示領域ＲＣ内に配列された複数のアイコンＣＮのうち各機能名称表示領域ＧＬｉの機能に対応するアイコンの近傍（より詳細には近傍上側）に配置されている。すなわち、各機能名称表示領域ＧＬｉは、対応アイコンＣＮの近傍上側にそれぞれ配置されている。たとえば、機能名称表示領域ＧＬ１は、グループＧＰ１に対応するアイコン群ＣＮ１（ＣＮ１１〜ＣＮ１５）の近傍に配置されており、機能名称表示領域ＧＬ２は、グループＧＰ２に対応するアイコン群ＣＮ２（ＣＮ２１〜ＣＮ２４）の近傍に配置されている。他の機能名称表示領域ＧＬ３〜ＧＬ５についても同様である。
【００５３】
また、アイコン表示領域ＲＣには、当該アイコン表示領域ＲＣ内の複数のアイコンＣＮの中から一部のアイコンを選択するためのスライダＳＬが設けられている。スライダＳＬは、範囲指定枠ＦＲとつまみ部ＴＨとを有する。ユーザは、つまみ部ＴＨを押下したまま引きずって移動させる操作（ドラッグ操作）を行うことによって、スライダＳＬを左右方向（水平方向）に移動させることが可能である。スライダＳＬの移動（水平移動）に伴って、所定幅（たとえば、８個〜９個のアイコンの配列幅）の範囲指定枠ＦＲ（範囲指定手段）も移動する。ユーザは、範囲指定枠ＦＲを移動させることによって、機能ボタン表示領域ＲＢに表示すべき範囲を変更（指定）することができる。詳細には、移動後の範囲指定枠ＦＲによって囲まれた範囲（指定範囲）内のアイコンに対応する機能ボタンＢＴが、機能ボタン表示領域ＲＢでの表示対象ボタンとして新たに指定される。
【００５４】
たとえば、図２においては、原稿グループＧＰ２の４つのアイコンＣＮ２１〜ＣＮ２４とレイアウトグループＧＰ３の左端側の５つのアイコンＣＮ３１〜ＣＮ３５とが範囲指定枠ＦＲによって囲まれている。このとき、機能ボタン表示領域ＲＢには、範囲指定枠ＦＲによって指定されたこれらのアイコンに対応する機能ボタンが表示される。具体的には、全ての機能ボタンＢＴのうち、原稿グループＧＰ２の４つの機能ボタンＢＴ２１〜ＢＴ２４とレイアウトグループＧＰ３の５つの機能ボタンＢＴ３１〜ＢＴ３５とが機能ボタン表示領域ＲＢに表示される。ただし、図２では、範囲指定枠ＦＲが右端のアイコンＣＮ３５の全部ではなく一部分のみを囲んでいるため、機能ボタン表示領域ＲＢ１においては機能ボタンＢＴ３５が部分的に表示されている。
【００５５】
このように、機能ボタン表示領域ＲＢ１には、全ての機能ボタンＢＴのうちの一部の機能ボタンＢＴ２１〜ＢＴ２４，ＢＴ３１〜ＢＴ３５が表示される。より詳細には、まず、ユーザは、水平方向におけるスライダＳＬ（詳細には範囲指定枠ＦＲ）の移動操作を伴って、アイコン表示領域ＲＣに表示された全アイコンの中から一部のアイコンＣＮ２１〜ＣＮ２４，ＣＮ３１〜ＣＮ３５を指定する。このような操作入力、具体的にはアイコン表示領域ＲＣにて水平方向に配列された全アイコンの中から当該一部のアイコンを範囲指定枠ＦＲを用いて指定する操作入力（範囲指定入力）は、入力制御部１４によって受け付けられる。そして、表示制御部１２は、当該範囲指定入力によって指定された当該一部のアイコンに対応する一部の機能ボタンＢＴ２１〜ＢＴ２４，ＢＴ３１〜ＢＴ３５を、機能ボタン表示領域ＲＢ１に表示する。
【００５６】
なお、このような操作は、アイコン表示領域ＲＣのアイコン列で示された全体マップに対して範囲指定枠ＦＲを移動させることにより、機能ボタン表示領域ＲＢ内における表示対象の機能ボタンＢＴをスクロールさせる操作であり、マップスクロール操作などとも表現される。また、アイコン表示領域ＲＣ（アイコン列およびスライダＳＬを含む）は、マップスクロール操作を行うものであることから、「マップスクローラ」（ＭＳ）などとも表現される。
【００５７】
以上のように、アイコン表示領域ＲＣにおけるマップスクロール操作（アイコン列で示された全体マップに対するスクロール操作）に応じて、機能ボタン表示領域ＲＢ１において機能ボタンＢＴが選択的に表示される。
【００５８】
また、図２の表示画面ＧＡにおいて機能ボタン表示領域ＲＢ内１のいずれかの機能ボタンが押下されると、画像形成装置１（設定処理部１１および表示制御部１２）は、当該押下された機能ボタンに関する詳細設定用のダイアログ画面ＤＳを表示する（図５参照）。なお、図５は、機能ボタンＢＴ２３が押下された直後の様子を示す図である。その後、ダイアログ画面ＤＳを用いた詳細設定操作が完了すると、ダイアログ画面ＤＳが非表示にされ、元の表示画面ＧＡ（図２）に戻る。
【００５９】
さらに、図２の表示画面ＧＡにおいては、設定画面の表示モードを２つの表示モードＭＤ１，ＭＤ２の相互間で切り換えるための切換ボタンＢＷ１，ＢＷ２（切換操作手段）が設けられている。切換ボタンＢＷ１は、マップ表示モードＭＤ１（図２）へと切り換えるためのボタンであり、切換ボタンＢＷ２は、グループ表示モードＭＤ２（図４）へと切り換えるためのボタンである。
【００６０】
図２では、一方の切換ボタン（マップ表示モード指定ボタンとも称される）ＢＷ１が強調表示（ハッチング表示あるいは着色表示等）されることによって、マップ表示モードＭＤ１が現在選択中であることが示されている。図２の表示画面ＧＡにおいて、他方の切換ボタン（グループ表示モード指定ボタンとも称される）ＢＷ２が押下されると、マップ表示モードＭＤ１からグループ表示モードＭＤ２への切換動作が実行される。
【００６１】
＜３．表示画面ＧＢ＞
つぎに、他方の表示モードＭＤ２、具体的にはグループ表示モードＭＤ２における表示画面ＧＢについて図４を参照しながら説明する。
【００６２】
図４に示すように、表示画面ＧＢは、グループ表示指示領域ＲＦと機能ボタン表示領域ＲＢ（詳細にはＲＢ２）とを有する。グループ表示指示領域ＲＦおよび機能ボタン表示領域ＲＢ２は、それぞれ、水平方向に伸びる細長い領域（帯状領域）である。グループ表示指示領域ＲＦは、タッチスクリーン６ｃ内において、機能ボタン表示領域ＲＢ２の上側に設けられる。後述するように、機能ボタン表示領域ＲＢ２における表示内容は、グループ表示指示領域ＲＦに対する操作等に応じて変更される。
【００６３】
グループ表示指示領域ＲＦは、複数のグループＧＰ１〜ＧＰ５のうちの一のグループに属する機能ボタンＢＴを機能ボタン表示領域ＲＢに表示すべき旨の操作入力（グループ表示指示入力とも称する）を受け付ける領域である。
【００６４】
グループ表示指示領域ＲＦは、水平方向に伸びる細長い領域（帯状領域）であり、機能ボタン表示領域ＲＢ２の上側に設けられている。このグループ表示指示領域ＲＦは、複数のグループの中から所望のグループを指定（選択）するための複数のボタン（グループ指定ボタンとも称する）ＧＴを有している。ここでは、５つのグループ指定ボタンＧＴ１〜ＧＴ５がグループ表示指示領域ＲＦに配置されている。各グループ指定ボタンＧＴ１〜ＧＴ５は、対応する各グループＧＰ１〜ＧＰ５をそれぞれ表示対象グループとして指定するためのボタンである。換言すれば、各グループ指定ボタンＧＴは、対応する特定のグループに属する機能ボタンを機能ボタン表示領域ＲＢ２に表示すべき旨を指示するグループ表示指示入力を付与するために用いられる。たとえば、グループ指定ボタンＧＴ２は、対応する特定のグループＧＰ２に属する機能ボタンＢＴを機能ボタン表示領域ＲＢ２に表示すべき旨を指示するためのボタンである。
【００６５】
一方の機能ボタン表示領域ＲＢ２は、全２２個の機能ボタンのうち特定のグループに属する機能ボタンを表示する領域である。機能ボタン表示領域ＲＢ２には、全ての機能ボタンＢＴのうち、特定のグループ（たとえばＧＰ２）に属する機能ボタンＢＴ（たとえばＢＴ２１〜ＢＴ２４）のみが表示される（図４参照）。
【００６６】
より具体的には、５つのグループ指定ボタンＧＴ１〜ＧＴ５のいずれか（たとえば、グループ指定ボタンＧＴ２）が押下されると、押下されたグループ指定ボタンＧＴに対応するグループ（機能グループ）が特定される。そして特定されたグループに属する機能ボタンが抽出され、抽出された機能ボタンが機能ボタン表示領域ＲＢ２に表示される。このように、表示モードＭＤ２においては、複数のグループ指定ボタンのうちのグループ指定ボタンＧＴの押下（グループ表示指示入力）に応答して、当該グループ表示指示入力で指定された特定のグループに属する（１又は２以上の）機能ボタンＢＴが、機能ボタン表示領域ＲＢ２に表示される。
【００６７】
たとえば、グループ指定ボタンＧＴ２の押下に応答して、図４のような表示画面ＧＢがタッチスクリーン６ｃに表示される。より詳細には、グループ指定ボタンＧＴ２が押下されると、当該グループ指定ボタンＧＴ２に対応するグループ（機能グループ）ＧＰ２が特定され、当該グループＧＰ２に属する機能ボタンＢＴ２１〜ＢＴ２４が抽出される。そして、特定のグループＧＰ２に属する機能ボタンＢＴ２１〜ＢＴ２４が機能ボタン表示領域ＲＢ２に表示される。より具体的には、当該機能ボタンＢＴ２１〜ＢＴ２４のみが機能ボタン表示領域ＲＢに選択的に表示され、他の機能ボタンＢＴは、機能ボタン表示領域ＲＢには表示されない（非表示にされる）。これによれば、全機能ボタンの中から「機能」（機能種類）で絞り込まれた機能ボタンのみが表示されるので、ユーザは所望の機能ボタンを探し易い。
【００６８】
また、機能ボタン表示領域ＲＢ２内のいずれかの機能ボタンＢＴが押下されると、画像形成装置１（設定処理部１１および表示制御部１２）は、当該押下された機能ボタンＢＴに関する詳細設定用のダイアログ画面ＤＳを表示する（たとえば図５参照）。その後、ダイアログ画面ＤＳを用いた詳細設定操作（ユーザ操作）が完了すると、表示制御部１２等により、ダイアログ画面ＤＳが非表示にされ、元の画面（図４の表示画面ＧＢ）に戻る。
【００６９】
また、図４の表示画面ＧＢにおいても、図２の表示画面ＧＡと同様に、設定画面の表示モードを２つの表示モードＭＤ１，ＭＤ２の相互間で切り換えるための切換ボタンＢＷ１，ＢＷ２（切換操作手段）が設けられている。
【００７０】
図４では、一方の切換ボタン（グループ表示モード指定ボタン）ＢＷ２が強調表示（ハッチング表示あるいは着色表示等）されることによって、グループ表示モードＭＤ２が現在選択中であることが示されている。図４の表示画面ＧＢにおいて、他方の切換ボタン（マップ表示モード指定ボタン）ＢＷ１が押下されると、グループ表示モードＭＤ２からマップ表示モードＭＤ１への切換動作が実行される。
【００７１】
なお、各表示画面ＧＡ，ＧＢにおいて、複数の機能ボタンＢＴは、機能グループごとに決定された色で表示されてもよく、あるいは、全て同じ色で表示されてもよい。複数のアイコンＣＮおよび複数のグループ指定ボタンＧＴも同様に、機能グループごとに決定された色で表示されてもよく、あるいは、全て同じ色で表示されてもよい。
【００７２】
＜４．表示画面ＧＡから表示画面ＧＢへの遷移動作＞
つぎに、表示画面ＧＡから表示画面ＧＢへの遷移動作について説明する。
【００７３】
たとえば、図２に示すような表示画面ＧＡが表示されている状態において、切換ボタン（グループ表示モード指定ボタン）ＢＷ２が押下されると、マップ表示モードＭＤ１からグループ表示モードＭＤ２への遷移動作が実行される（図６参照）。すなわち、グループ表示モードＭＤ２への切換指示入力に応じた遷移動作が実行される。なお、図６は、グループ表示モード指定ボタンＢＷ２の押下時における画像形成装置１の動作を示すフローチャートである。このような動作は、表示制御部１２等によって実行される。
【００７４】
グループ表示モード指定ボタンＢＷ２が押下されると、まず、ステップＳ１１で当該押下操作の有効性が確認される。具体的には、グループ表示モードＭＤ２（図４参照）に遷移済みの状態でグループ表示モード指定ボタンＢＷ２が押下されると、当該押下操作（モード切換操作）は無効であると判定され、何も行われない。一方、マップ表示モードＭＤ１（図２参照）にてグループ表示モード指定ボタンＢＷ２が押下されると、当該押下操作（モード切換操作（表示画面ＧＡから表示画面ＧＢへの切換操作））は有効であると判定され、ステップＳ１１からステップＳ１２に進む。
【００７５】
ステップＳ１２では、表示制御部１２は、当該モード切換操作に応答して、機能ボタン表示領域ＲＢ１（図２）の先頭（左端）に表示されていた機能ボタンが所属する一のグループを、表示対象グループとして特定する。たとえば、図２の機能ボタン表示領域ＲＢ１においては、機能ボタンＢＴ２１が機能ボタン表示領域ＲＢ１の先頭（左端）に表示されている。この場合、表示制御部１２は、当該機能ボタンＢＴ２１の所属する一のグループＧＰ２を表示対象グループとして特定する。
【００７６】
次のステップＳ１３では、グループ表示モードＭＤ２への遷移動作が行われる。このとき、表示制御部１２は、特定された当該一のグループに所属する機能ボタンを機能ボタン表示領域ＲＢ２に表示する。この結果、たとえば、図４のような表示画面ＧＢが表示される。詳細には、グループＧＰ２（ステップＳ１２で特定されたグループ）に所属する４つの機能ボタンＢＴ２１〜ＢＴ２４が機能ボタン表示領域ＲＢ２に表示される。より具体的には、当該機能ボタンＢＴ２１〜ＢＴ２４のみが機能ボタン表示領域ＲＢ２に選択的に表示され、他のボタンＢＴは、機能ボタン表示領域ＲＢ２には表示されない（非表示にされる）。
【００７７】
さらに、表示制御部１２は、図４の表示画面ＧＢに示すように、機能ボタン表示領域ＲＢ２に表示中のボタンＢＴ２１〜ＢＴ２４の所属グループＧＰ２に対応するグループ指定ボタンＧＴ２を強調表示する。たとえば、グループ指定ボタンＧＴ２が太枠で囲われて強調表示される。これによれば、機能ボタン表示領域ＲＢ２での表示対象ボタンの対応機能の判別が容易である。
【００７８】
このように、遷移後の表示画面ＧＢにおいては、複数の機能ボタンＢＴのうち特定のグループＧＰ２に属する機能ボタンＢＴ２１〜ＢＴ２４が機能ボタン表示領域ＲＢ２に表示される（図４）。
【００７９】
そして、この表示画面Ｂ（図４）において機能ボタン表示領域ＲＢ内のいずれかの機能ボタンが押下されると、画像形成装置１（設定処理部１１および表示制御部１２）は、当該押下された機能ボタンに関する詳細設定用のダイアログ画面ＤＳを表示する（図１６参照）。その後、ダイアログ画面ＤＳを用いた詳細設定操作（ユーザ操作）が完了すると、表示制御部１２等により、ダイアログ画面ＤＳが非表示にされ、元の画面（図４の表示画面ＧＢ）に戻る。
【００８０】
なお、表示画面ＧＢにおいては、さらに別のグループ指定ボタンＧＴの押下に応答して、機能ボタン表示領域ＲＢ２における表示対象が変更され得る。たとえば、グループ指定ボタンＧＴ３の押下に応答して、機能ボタン表示領域ＲＢ２における表示対象ボタンは、グループＧＰ３に所属する６つの機能ボタンＢＴ３１〜ＢＴ３６に変更される（図９参照）。
【００８１】
＜５．表示画面ＧＢから表示画面ＧＡへの遷移動作＞
一方、図４に示すような表示画面ＧＢが表示されている状態において、切換ボタン（マップ表示モード指定ボタン）ＢＷ１が押下されると、グループ表示モードＭＤ２からマップ表示モードＭＤ１への遷移動作が実行される。すなわち、マップ表示モードＭＤ１への切換指示入力に応じた遷移動作が実行される。
【００８２】
つぎに、このような遷移動作（表示画面ＧＢから表示画面ＧＡへの遷移動作）について説明する。
【００８３】
図４に示すような表示画面ＧＡが表示されている状態において、切換ボタン（マップ表示モード指定ボタン）ＢＷ１が押下されると、グループ表示モードＭＤ２からマップ表示モードＭＤ１への遷移動作が実行される（図７参照）。なお、図７は、マップ表示モード指定ボタンＢＷ１の押下時における画像形成装置１の動作を示すフローチャートである。このような動作は、表示制御部１２等によって実行される。
【００８４】
マップ表示モード指定ボタンＢＷ１が押下されると、まず、ステップＳ２１で当該押下操作の有効性が確認される。具体的には、マップ表示モードＭＤ１（図２参照）に遷移済みの状態でマップ表示モード指定ボタンＢＷ１が押下されると、当該押下操作（モード切換操作）は無効であると判定され、何も行われない。一方、グループ表示モードＭＤ２（図４参照）にてマップ表示モード指定ボタンＢＷ１が押下されると、当該押下操作（モード切換操作（表示画面ＧＢから表示画面ＧＡへのモード切換操作））は有効であると判定され、ステップＳ２１からステップＳ２２に進む。
【００８５】
ステップＳ２２では、表示制御部１２は、当該モード切換操作に応答して、機能ボタン表示領域ＲＢ２（図４）に表示されていた機能ボタンの所属グループを特定する。たとえば、図４の機能ボタン表示領域ＲＢ２においては機能ボタンＢＴ２１〜ＢＴ２４が機能ボタン表示領域ＲＢ２に表示されている。そのため、表示制御部１２は、機能ボタンＢＴ２１〜ＢＴ２４の所属グループとしてグループＧＰ２を特定する。
【００８６】
次のステップＳ２３では、マップ表示モードＭＤ１への遷移動作が行われる。このとき、表示制御部１２は、特定されたグループＧＰ２に所属する機能ボタンＢＴ２１〜ＢＴ２４を含む複数の機能ボタンＢＴを機能ボタン表示領域ＲＢ１に表示する。詳細には、機能ボタン表示領域ＲＢ２に表示されていた（グループＧＰ２の）機能ボタンＢＴ２１〜ＢＴ２４が、機能ボタン表示領域ＲＢ１の（水平方向における）先頭部分において、機能ボタン表示領域ＲＢ１の先頭位置から順に配列されて表示される。この結果、たとえば、図２のような表示画面ＧＡが表示される。より詳細には、グループＧＰ２（ステップＳ１２で特定されたグループ）に所属する４つの機能ボタンＢＴ２１〜ＢＴ２４と、当該グループＧＰ２の次順位のグループＧＰ３に所属する６つの機能ボタンＢＴのうちの左側の５つの機能ボタンＢＴ３１〜ＢＴ３５とが機能ボタン表示領域ＲＢ１に表示される。換言すれば、機能ボタンＢＴ２１を先頭とする所定数の機能ボタンＢＴが機能ボタン表示領域ＲＢ１に表示される。
【００８７】
これによれば、モード遷移前の表示画面ＧＢに表示されていた機能ボタンＢＴ２１〜ＢＴ２４がモード遷移後の表示画面ＧＡにおいても引き続き表示されるので、ユーザは、継続性を確保しつつ機能選択操作を行うことが可能である。
【００８８】
また、この表示画面ＧＡ（図２）において機能ボタン表示領域ＲＢ１内のいずれかの機能ボタンＢＴが押下されると、画像形成装置１（設定処理部１１および表示制御部１２）は、当該押下された機能ボタンＢＴに関する詳細設定用のダイアログ画面ＤＳを表示する（図５参照）。その後、ダイアログ画面ＤＳを用いた詳細設定操作（ユーザ操作）が完了すると、表示制御部１２等により、ダイアログ画面ＤＳが非表示にされ、元の画面（図２の表示画面ＧＡ）に戻る。
【００８９】
また、表示画面ＧＡにおいては、スライダＳＬの移動操作に応じて、機能ボタン表示領域ＲＢ１における表示対象ボタンが変更され得る。たとえば、スライダＳＬをさらに左側にスライドして範囲指定枠ＦＲを左側に移動すると、比較的左側のアイコンが機能ボタン表示領域ＲＢ１に表示される。たとえば、アイコン表示領域ＲＣ内において移動後の範囲指定枠ＦＲ内にアイコンＣＮ１４，ＣＮ１５，ＣＮ２１〜ＣＮ２４，ＣＮ３１，ＣＮ３２が存在するときには、これらのアイコンに対応する機能ボタンＢＴ１４，ＢＴ１５，ＢＴ２１〜ＢＴ２４，ＢＴ３１，ＢＴ３２が機能ボタン表示領域ＲＢ１に表示される（図１１参照）。
【００９０】
＜６．実施形態の効果＞
以上のような動作によれば、切換ボタンＢＷ１，ＢＷ２の押下操作に応答して、設定画面に関する表示モードがマップ表示モードＭＤ１とグループ表示モードＭＤ２との間で遷移する。そのため、ユーザは、都合に応じて２つの表示モードを容易に使い分けることができる。たとえば、ユーザは、全体を俯瞰したい場合にはマップ表示モードＭＤ１を利用し、設定対象機能の所属機能グループを予め知得している場合にはグループ表示モードＭＤ２を利用するようにすればよい。特に後者の場合には、ユーザは、スライダ操作を行わずに直接的に特定グループの機能を表示させることが可能であるので、比較的簡易な操作で機能に関する設定を行うことができる。このように、ユーザは、全体の俯瞰に優れた表示画面ＧＡと機能グループによる機能選択に優れた表示画面ＧＢとの両方を容易な操作で切り換えて利用することが可能である。したがって、ユーザは、高い操作性を得ることが可能である。
【００９１】
特に、切換ボタンＢＷ１，ＢＷ２（特に切換ボタンＢＷ２）が表示画面ＧＡ内に設けられているため、設定画面ＧＡから表示画面ＧＢへの画面遷移操作が容易である。同様に、切換ボタンＢＷ１，ＢＷ２（特に切換ボタンＢＷ１）が表示画面ＧＢ内に設けられているため、設定画面ＧＢから表示画面ＧＡへの画面遷移操作が容易である。このように切換ボタンＢＷ１，ＢＷ２が表示画面ＧＡ，ＧＢ内に設けられているため、設定画面ＧＡと表示画面ＧＢとの間の画面遷移操作が容易である。
【００９２】
また特に、表示画面ＧＡにおける複数のアイコンＣＮ（図２）が水平方向に沿って配列して設けられており、且つ、表示画面ＧＢにおける複数のグループ指定ボタンＧＴ（図４）も同様に水平方向に沿って配列して設けられている。さらに、これに加えて、機能ボタン表示領域ＲＢ１，ＲＢ２のいずれにおいても、表示対象の機能ボタンＢＴが同じ方向（水平方向）に沿って配列して表示される。より詳細には、一方の表示画面ＧＡ（図２）では、水平方向に配列された複数のアイコンＣＮに関する指定操作に応じて、一部の機能ボタンＢＴが機能ボタン表示領域ＲＢ１に水平方向に配列して表示される。また、他方の表示画面ＧＢ（図４）においては、水平方向に配列された複数のグループ指定ボタンＧＴに関する選択操作に応じて、特定のグループに属する機能ボタンＢＴが機能ボタン表示領域ＲＢ２に表示される。このように、表示画面ＧＡと表示画面ＧＢとは、操作方向に関する共通性を有するとともに表示方向に関する共通性を有するため、表示画面の切換前後において、ユーザは、継続性を有する操作感（統一的な操作感）を得ることができる。
【００９３】
また特に、複数のアイコンＣＮは、表示画面ＧＡのアイコン表示領域ＲＣにおいて、グループごとに分類されて表示され、表示画面ＧＡの機能ボタン表示領域ＲＢ１における一部の機能ボタンも、グループごとに分類されて表示される。また、表示画面ＧＢのグループ表示指示領域ＲＦにおいては、各グループを指定するためのボタンとして複数のグループ指定ボタンＧＴが表示され、表示画面ＧＢの機能ボタン表示領域ＲＢ２においては、特定のグループに属する機能ボタンが（グループ単位で）纏めて表示される。したがって、いずれの表示画面ＧＡ，ＧＢにおいても、機能ボタン表示領域ＲＢ（ＲＢ１，ＲＢ２）において機能ボタンＢＴがグループごとに分類されて表示されるので、表示画面の切換前後において、ユーザは、統一的な操作感を得ることができる。
【００９４】
さらに、表示画面ＧＡのアイコン表示領域ＲＣにおいて、複数のグループＧＰに分類された複数のアイコンＣＮは、水平方向において所定のグループ順序（グループＧＰ１，ＧＰ２，ＧＰ３，ＧＰ４，ＧＰ５の順序）で表示され、且つ、表示画面ＧＢの複数のグループ指示ボタンＧＴも、同じ方向（水平方向）において所定のグループ順序で表示される。したがって、表示画面の切換前後において、ユーザは、この観点からも統一的な操作感を得ることができる。
【００９５】
＜７．変形例等＞
以上、この発明の実施の形態について説明したが、この発明は上記説明した内容のものに限定されるものではない。
【００９６】
＜７−１．表示画面ＧＢでのグループ指定ボタンＧＴの配列方向＞
たとえば、上記実施形態では、表示画面ＧＢ（図４参照）において、グループ指定ボタンＧＴ１〜ＧＴ５が左右方向（横方向）に配列される態様が例示されているが、これに限定されない。
【００９７】
具体的には、（図２の表示画面ＧＡから）図８の表示画面ＧＢへと切り換えられるようにしてもよい。図８の表示画面ＧＢでは、グループ表示指示領域ＲＦは、上下方向（縦方向）に伸びる帯状領域として形成されており、グループ指定ボタンＧＴ１〜ＧＴ５が上下方向（縦方向）に配列されている。このような表示画面ＧＢが切換後に表示されるようにしてもよい。ただし、切換前後における操作感の継続性を重視する場合には、上記実施形態のように図２の表示画面ＧＡから図４の表示画面ＧＢへと切り換えられることが好ましい。なお、上下方向にボタンが表示される場合には、上端側が先頭側とみなされればよい。
【００９８】
＜７−２．表示画面ＧＡから表示画面ＧＢへの切換＞
また、上記実施形態等においては、表示画面ＧＡから表示画面ＧＢへの切換操作に応答して、機能ボタン表示領域ＲＢ１（図２）の先頭に表示されていた機能ボタンＢＴ２１が所属する一のグループＧＰ２が特定されるとともに、当該グループＧＰ２に所属する機能ボタンＢＴ２１〜ＢＴ２４が機能ボタン表示領域ＲＢ２に表示される態様（図４）が例示されている。しかしながら、本発明はこれに限定されない。
【００９９】
たとえば、表示画面ＧＡから表示画面ＧＢへの切換操作に応答して、複数のグループＧＰ１〜ＧＰ５の中から、最も多くの所属機能ボタンＢＴを機能ボタン表示領域ＲＢ１に表示している一のグループが特定され、当該一のグループに所属する機能ボタンＢＴが機能ボタン表示領域ＲＢ２に表示されるようにしてもよい。具体的には、機能ボタン表示領域ＲＢ１に表示されていた一部の機能ボタンＢＴ２１〜ＢＴ２４，ＢＴ３１〜ＢＴ３５（図２）のうち最も多数の機能ボタンＢＴ３１〜ＢＴ３５が所属する一のグループＧＰ３が特定されるようにしてもよい。図２に示すように機能ボタン表示領域ＲＢ１には、グループＧＰ２に所属する４つの機能ボタンＢＴ２１〜ＢＴ２４とグループＧＰ３に所属する５つの機能ボタンＢＴ３１〜ＢＴ３５とが表示されている。この場合には、比較的多数（５つ）の機能ボタンＢＴが表示されているグループＧＰ３が選択される。そして、図９に示すように、当該特定された当該一のグループＧＰ３に所属する６つの全ての機能ボタンＢＴ３１〜ＢＴ３６が機能ボタン表示領域ＲＢ２に表示されるようにしてもよい。図９は、このような変形例に係る表示画面ＧＢを示す図である。
【０１００】
あるいは、表示画面ＧＡから表示画面ＧＢへの切換操作に応答して、先頭のグループＧＰ１に所属する５つの全ての機能ボタンＢＴ１１〜ＢＴ１５が常に機能ボタン表示領域ＲＢ２に表示されるようにしてもよい（図１０参照）。ここで、グループＧＰ１は、機能ボタン表示領域ＲＢ１における複数のアイコンＣＮ（アイコン列）のうちの先頭のアイコンＣＮ１１の所属グループであるとも表現される。このように、切換後の表示画面ＧＢの機能ボタン表示領域ＲＢ２に、常に、最初のグループＧＰ１が表示されるようにしてもよい。
【０１０１】
＜７−３．表示画面ＧＢから表示画面ＧＡへの切換＞
上記実施形態においては、表示画面ＧＢから表示画面ＧＡへの切換操作に応答して、機能ボタン表示領域ＲＢ２に表示されていた機能ボタンＢＴ２１〜ＢＴ２４（図４）が、機能ボタン表示領域ＲＢ１の（水平方向における）先頭位置から順に配列されて表示される態様（図２）が例示されている。しかしながら、本発明はこれに限定されない。
【０１０２】
たとえば、表示画面ＧＢから表示画面ＧＡへの切換操作に応答して、機能ボタン表示領域ＲＢ２に表示されていた機能ボタンＢＴ２１〜ＢＴ２４（図４）が、機能ボタン表示領域ＲＢ１内の水平方向における中央部分に表示されるようにしてもよい（図１１参照）。図１１においては、グループＧＰ２の機能ボタンＢＴ２１〜ＢＴ２４が機能ボタン表示領域ＲＢ１の中央部分に配置されるとともに、その左側にグループＧＰ１の２つの機能ボタンＢＴ１４，ＢＴ１５が配置される。また、機能ボタンＢＴ２１〜ＢＴ２４の右側には、グループＧＰ３の２つの機能ボタンＢＴ３１，ＢＴ３２が配置される。ここで、機能ボタンＢＴ１４，ＢＴ１５は、アイコン表示領域ＲＣにおいてアイコン列ＣＮ２１〜ＣＮ２４の左隣に配置されたアイコンＣＮ１４，ＣＮ１５に対応する機能ボタンである。同様に、機能ボタンＢＴ３１，ＢＴ３２は、アイコン表示領域ＲＣにおいてアイコン列ＣＮ２１〜ＣＮ２４の右隣に配置されたアイコンＣＮ３１，ＣＮ３２に対応する機能ボタンである。
【０１０３】
＜７−４．初期表示画面指定＞
また、上記実施形態においては、画像形成装置１の表示部６ｂ（タッチスクリーン６ｃ）に関する初期状態（設定画面に関する初期状態）において常に表示画面ＧＡがタッチスクリーン６ｃにまず表示される態様が例示されている。ただし、本発明はこれに限定されない。
【０１０４】
たとえば、逆に、当該初期状態において常に表示画面ＧＢがタッチスクリーン６ｃにまず表示されるようにしてもよい。
【０１０５】
あるいは、当該初期状態で表示される表示画面の種類（換言すれば、初期状態における表示モード）は、ユーザ設定によって変更されるようにしてもよい。具体的には、図１２に示すような詳細設定画面ＧＸ（ＧＸ１）を用いて、ユーザによる設定操作が行われるようにしてもよい。
【０１０６】
図１２の詳細設定画面ＧＸは、表示画面ＧＡと表示画面ＧＢとのいずれを初期状態にてタッチスクリーン６ｃに初期メニュー画面として表示させるかを指定するための画面である。当該詳細設定画面ＧＸは、例えば、操作パネル部６ｐに設けられた或るハードキーを操作することなどによってタッチスクリーン６ｃに表示される。ユーザは、当該詳細設定画面ＧＸに表示された２つの選択肢（「マップ表示モード」ボタンＢＮ３１および「グループ表示モード」ボタンＢＮ３２）のうち所望の選択肢を選択した後にＯＫボタンＢＮ１１を押下することによって当該選択を確定させることができる。このようにして、初期状態における表示モードがユーザにより指定される。なお、キャンセルボタンＢＮ１２が押下されると、選択内容が確定されずに破棄される。
【０１０７】
詳細設定画面ＧＸを用いた設定処理後の初期状態においては、画像形成装置１（表示制御部１２）は、詳細設定画面ＧＸを用いてユーザによって指定された表示モードに応じた表示画面（ＧＡないしＧＢ）をタッチスクリーン６ｃに表示する。たとえば、図１２で「マップ表示」ボタンＢＮ３１が選択された場合には、画像形成装置１は、その後の初期状態（再起動後の初期状態等）において、表示モードＭＤ１による表示画面ＧＡをタッチスクリーン６ｃにまず表示する。逆に、図１２で「グループ表示」ボタンＢＮ３２が選択された場合には、画像形成装置１は、その後の初期状態（再起動後の初期状態等）において、表示モードＭＤ２による表示画面ＧＢをタッチスクリーン６ｃにまず表示する。
【０１０８】
また、このような指定は、装置単位で行われてもよく、あるいは、ユーザ単位で行われても良い。
【０１０９】
上記のような指定がユーザ単位で行われる場合においては、各ユーザが画像形成装置１にログインした際に各ユーザが自分向けの設定操作を行えばよい。具体的には、上述のように、画像形成装置１は、図１２のような詳細設定画面ＧＸ１を用いて、特定のユーザによる指定操作を受け付ければよい。そして、その後の初期状態（たとえば、当該特定のユーザが画像形成装置１に再びログインした直後等）において、画像形成装置１は、当該指定操作で当該特定のユーザによって指定された表示画面（たとえば、表示モードＭＤ１による表示画面ＧＡ）をタッチスクリーン６ｃにまず表示するようにすればよい。このように、特定のユーザによる指定操作後に当該特定のユーザによって画像形成装置１が使用される際に、当該特定のユーザによって指定された表示画面が初期状態にて表示部６ｂに表示されるようにすればよい。
【０１１０】
あるいは、上記のような指定がユーザ単位で行われる場合において、管理者が一括して各ユーザ向けの設定操作を行うようにしてもよい。図１３は、このような管理者用の詳細設定画面ＧＸ（ＧＸ２）を示す図である。図１３の詳細設定画面ＧＸ２は、図１２の詳細設定画面ＧＸ１と同様に、ボタンＢＮ３１，ＢＮ３２，ＢＮ１１，ＢＮ１２を有する。また、詳細設定画面ＧＸ２は、複数のユーザの中から設定対象ユーザを指定するユーザ指定ボタンＢＮ５１〜ＢＮ５４をさらに備えている。
【０１１１】
この詳細設定画面ＧＸ２は、管理者用の詳細設定画面（管理者モードで表示される画面）であり、表示画面ＧＡ，ＧＢのいずれを表示部６ｂに表示させるかに関する各ユーザ向けの指定（管理者からの指定）を受け付ける画面である。管理者は、まず、複数のユーザ指定ボタンＢＮ５１〜ＢＮ５４の中から所望のユーザに対応する選択肢を選択する。たとえば、管理者がユーザＵＡ向けの設定を行いたい場合には、ユーザＵＡに対応するユーザ指定ボタンＢＮ５１が押下されればよい。そして、選択されたユーザに関する設定操作が、図１２と同様にして、ボタンＢＮ３１，ＢＮ３２等を用いて実行される。同様の動作が他のユーザＵＢ，ＵＣ等についても行われればよい。
【０１１２】
その後の初期状態、たとえば或るユーザＵＢが画像形成装置１に再びログインした直後の初期状態においては、画像形成装置１は、管理者の操作により当該ユーザＵＢ向けに指定されていた表示画面（たとえば、表示モードＭＤ２による表示画面ＧＢ）をタッチスクリーン６ｃにまず表示するようにすればよい。一方、別のユーザＵＣが画像形成装置１に再びログインした直後の初期状態においては、画像形成装置１は、管理者の操作により当該ユーザＵＣ向けに指定されていた表示画面（たとえば、表示モードＭＤ１による表示画面ＧＡ）をタッチスクリーン６ｃにまず表示するようにすればよい。
【０１１３】
このように、管理者による各ユーザ向けの指定操作後に、それぞれのユーザが画像形成装置１にログインして当該画像形成装置１を使用する際において、表示画面ＧＡ，ＧＢのうちそのユーザ（ログインユーザ）向けに指定された表示画面が初期状態にて表示部６ｂに表示されるようにしてもよい。
【０１１４】
あるいは、上記のような指定操作ではなく、ユーザによる切換操作の実際の回数に応じて、初期状態における表示モード（表示画面）が決定されるようにしてもよい。これによれば、ユーザの好みの表示モード（使用したい表示モード）を自動的に判別することが可能である。
【０１１５】
具体的には、画像形成装置１（詳細には、コントローラ９内の計数部（カウント部）１５（不図示））は、切換ボタンＢＷ１，ＢＷ２を用いた各切換操作の回数をそれぞれ計数（カウント）し、計数結果を格納部５に記憶しておく。図１４は、当該切換操作の回数（計数結果）を記憶したデータテーブルＴＢを示す図である。このデータテーブルＴＢには、切換ボタンＢＷ１を用いたマップ表示モードＭＤ１（表示画面ＧＡ）への切換操作回数Ｎ１が「１８３」回であり、切換ボタンＢＷ２を用いたグループ表示モードＭＤ２（表示画面ＧＢ）への切換操作回数Ｎ２が「２０１」回であることが記憶されている。
【０１１６】
なお、ユーザの好みを良好に反映させるため、切換ボタンＢＷ１，ＢＷ２の双方が所定期間（たとえば１０秒）以内の時間間隔で連続的に押下された場合には、最後の切換ボタンの押下のみが切換操作回数としてカウントされることが好ましい。たとえば、切換ボタンＢＷ１が一度押下され、その３秒後に再び切換ボタンＢＷ２が押下された場合には、（切換ボタンＢＷ１の押下はカウントされることなく）切換ボタンＢＷ２の押下のみが切換操作回数に計上されること（回数Ｎ２のみがカウントアップされること）が好ましい。
【０１１７】
そして、画像形成装置１（表示制御部１２）は、このような計数結果に基づいて、初期状態にて表示すべき表示画面を決定すればよい。具体的には、マップ表示モードＭＤ１（表示画面ＧＡ）への切換操作回数Ｎ１がグループ表示モードＭＤ２（表示画面ＧＢ）への切換操作回数Ｎ２よりも大きいときには、マップ表示モードＭＤ１に係る表示画面ＧＡが初期状態にて表示部６ｂに表示されればよい。逆に、図１４に示すように、切換操作回数Ｎ２が切換操作回数Ｎ１よりも大きいときには、グループ表示モードＭＤ２に係る表示画面ＧＢが初期状態にて表示部６ｂに表示されればよい。
【０１１８】
また、このような切換回数は、装置単位でカウント（計数）されてもよく、ユーザ単位でカウントされてもよい。そして、装置単位のカウント数あるいはユーザ単位のカウント数に基づいて、初期状態での表示モードが決定されればよい。
【０１１９】
＜７−５．切換操作＞
また、上記実施形態等においては、タッチスクリーン６ｃ上に表示されたボタン（ソフトウエアボタン）ＢＷ１，ＢＷ２が切換操作部として設けられる態様が例示されているが、これに限定されない。
【０１２０】
たとえば、タッチスクリーン６ｃ上に表示されたアイコンが、操作ユーザからの切換指示を受け付ける切換操作部として設けられようにしてもよい。
【０１２１】
あるいは、タッチスクリーン６ｃとは別に設けられた（タッチスクリーン６ｃの外側近傍等に設けられた）専用ハードウエア操作部材（ハードウエアボタンＢＷ１，ＢＷ２等）が、切換操作部として設けられるようにしてもよい。そして、当該ハードウエアボタンＢＷ１，ＢＷ２を用いて、２つの表示モードＭＤ１，ＭＤ２の相互間の切換操作が行われるようにしてもよい。
【０１２２】
また、当該切換操作部としては、２つのボタンＢＷ１，ＢＷ２が設けられることを要しない。たとえば、１つの切換ボタンのみが設けられ、当該１つの切換ボタンを用いて、現在選択中の一方のモードから他方のモードへの切換操作が行われるようにしてもよい。より詳細には、当該１つの切換ボタンを押下するごとに、２つの表示モードＭＤ１，ＭＤ２が交互に選択されるようにしてもよい。
【０１２３】
＜７−６．その他＞
また、上記実施形態においては、画像形成装置１としてＭＦＰ（複合機）を例示したが、これに限定されない。たとえば、画像形成装置１は、各種の単機能装置（コピー装置、印刷装置あるいはスキャナ装置等）として構成されてもよい。
【符号の説明】
【０１２４】
１  画像形成装置
６ｃ  タッチスクリーン
ＢＴ  機能ボタン
ＢＷ１  マップ表示モード指定ボタン
ＢＷ２  グループ表示モード指定ボタン
ＣＮ  アイコン
ＧＡ  マップ表示モードの表示画面
ＧＢ  グループ表示モードの表示画面
ＧＬ  機能名称表示領域
ＧＴ  グループ指定ボタン
ＭＤ１  マップ表示モード
ＭＤ２  グループ表示モード
ＲＢ  機能ボタン表示領域
ＲＣ  アイコン表示領域
ＲＦ  グループ表示指示領域
ＳＬ  スライダ
ＴＢ  データテーブル
【図１】
2014058113.tif 000003
【図３】
2014058113.tif 000004
【図６】
2014058113.tif 000005
【図７】
2014058113.tif 000006
【図１２】
2014058113.tif 000007
【図１３】
2014058113.tif 000008
【図１４】
2014058113.tif 000009
【図２】
2014058113.tif 000010
【図４】
2014058113.tif 000011
【図５】
2014058113.tif 000012
【図８】
2014058113.tif 000013
【図９】
2014058113.tif 000014
【図１０】
2014058113.tif 000015
【図１１】
2014058113.tif 000016